(57)【要約】      （修正有）【課題】シンプルな構成でパチンコ台枠の傾斜角度の微調整が可能であり、また、パチンコ台枠を確固と保持し得るパチンコ遊技機の傾斜度調節システムを提供する。【解決手段】先端部が、島枠５１内に収まったパチンコ台枠４１の上辺に係止され、その係止状態のまま進退してパチンコ台枠の上辺を島枠内において前後動させるクランプ部５を備えていて島枠に固定される自動調節ユニットを、パチンコ台枠の上辺左右に一対配置し、各自動調節ユニットを遠隔操作してパチンコ台枠の傾斜角度を予め設定した角度に調節可能にした。【選択図】図１
0003234237.tif 000002
【実用新案登録請求の範囲】
【請求項１】
島枠に設置されるユニット本体と、先端部が島枠内に収まったパチンコ台枠の上辺に固定され、その固定状態のまま進退して前記パチンコ台枠の上辺を前記島枠内において前後動させる作動部と、前記ユニット本体に配備されていて前記作動部を進退させる駆動部とから成る自動調節ユニットが、前記パチンコ台枠の上辺左右に一対配置され、前記各自動調節ユニットが遠隔操作されて前記パチンコ台枠の傾斜角度を予め設定した角度に調節可能であり、前記遠隔操作が、前記パチンコ遊技機ごとに設置される制御基板を介して行われることを特徴とするパチンコ遊技機の傾斜度調節システム。
【請求項２】
前記一対の自動調節ユニットを個別に動作可能にした、請求項１に記載のパチンコ遊技機の傾斜度調節システム。
【請求項３】
前記自動調節ユニットは、複数のギアで構成されるギア組が組み込まれていて前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記島枠の内天面において摺動可能に支持されるクランプ固定板と、前記クランプ固定板に固定設置されるクランプ装置と、前記クランプ装置の先端に取り付けられていて、前記パチンコ台枠の上辺に係止される係止ヘッドとから成る、
請求項１又は２に記載のパチンコ遊技機の傾斜度調節システム。
【請求項４】
前記自動調節ユニットは、複数のギアで構成されるギア組が組み込まれていて、ギアボックス用ベースを介して前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記ギアボックス用ベースに設置されたスライドガイドに支持されてスライドするスライド板と、前記スライド板に取り付けられて、先端部が前記パチンコ台枠の上辺に固定される作用部とから成る、請求項１又は２に記載のパチンコ遊技機の傾斜度調節システム。
【請求項５】
前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びる固定板が前記パチンコ台枠の内天面に固定される、請求項４に記載のパチンコ遊技機の傾斜度調節システム。
【請求項６】
前記固定板は、裏面側からねじ込まれるネジの先端面が前記パチンコ台枠の内天面を強圧して負荷を与えることにより、前記パチンコ台枠の内天面に固定状態となる、請求項５に記載のパチンコ遊技機の傾斜度調節システム。
【請求項７】
前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びるクランプ部材が前記パチンコ台枠の端部を挟持することにより、前記パチンコ台枠に固定される、請求項４に記載のパチンコ遊技機の傾斜度調節システム。
【請求項８】
前記ギアボックス内に、前記ネジ杆の回転角を検出するフォトインタラプタが組み込まれ、前記フォトインタラプタによって検出された前記ネジ杆の回転角データに基づいて前記パチンコ台枠の傾斜度調節が行われる、請求項３乃至７のいずれかに記載のパチンコ遊技機の傾斜度調節システム。
【請求項９】
前記ネジ杆は、前記ギア組のうちの末端の駆動ギアの軸穴に嵌め込まれた六角ナットにねじ込まれることにより、前記駆動ギアの回転に伴って軸方向に進退駆動される、請求項３乃至８のいずれかに記載のパチンコ遊技機の傾斜度調節システム。
【請求項１０】
前記自動調節ユニットは、前記パチンコ台枠の上辺を、予め数段階に設定された距離移動させるように制御される、請求項１乃至９のいずれかに記載のパチンコ遊技機の傾斜度調節システム。
【請求項１１】
前記自動調節ユニットは、前記パチンコ台枠の上辺を、予め５段階に設定された距離移動させるように制御される、請求項１０に記載のパチンコ遊技機の傾斜度調節システム。
【考案の詳細な説明】
【技術分野】
【０００１】
本考案は、パチンコ遊技機の傾斜度調節システムに関するものであり、より詳細には、パチンコ遊技機を島枠に設置するに当たり、簡単な操作でその傾斜度を微調節し得ると共に、島枠に対してパチンコ遊技機を強固にロックしてその転倒を防止でき、設置にスペースを取らないパチンコ遊技機の傾斜度調節システムに関するものである。
【背景技術】
【０００２】
パチンコ遊技機は、島枠の内側に直接取り付けられるパチンコ台枠と、台枠内に設置されるパチンコ本体とで構成される。このパチンコ遊技機を島枠に設置するに当たっては、パチンコ本体と台枠とを切り離しておき、先に台枠を島枠内に嵌め入れて固定し、その後、パチンコ本体を台枠にヒンジを用いて取り付ける。台枠の島枠への固定は、台枠を島枠内に概ね垂直となるように嵌め入れて、その上辺及び下辺を釘止め、ネジ止め等により島枠に固定することにより行われる。そして、パチンコ本体を台枠に設置した後、パチンコ本体の傾斜角度の調節が行われる。
【０００３】
このパチンコ本体の傾斜角度の調節を自動的に行うための傾斜度調節システムが、種々提案されている。例えば、特開２００６−１９２１５９号公報には、台枠の上辺又は下辺に噛み込んで、台枠の上辺又は下辺を水平方向に変位駆動するユニットが、島枠の上辺及び下辺のそれぞれに一対ずつ配置して成るパチンコ遊技機の取り付け装置が開示されている。
【０００４】
しかし、そこに開示されている装置の場合、各ユニットは、構成が複雑で組み立てに時間とコストがかかるだけでなく、パチンコ遊技機の傾斜度の微調節を簡単且つ迅速に行うという要請に応えることができないという問題がある。また、各ユニットを制御するためのコントロールボックスを、スペースに余裕がない島の上部の開閉自在な開口部位に配置しなければならない、という制約が伴うものであり、容易には設置し得ないという問題がある。
【０００５】
また、特開２００８−２８４２８０号公報には、島枠の下辺の中央部に駆動装置を配設し、パチンコ台枠に取り付けた角度検知装置からの検出角度信号に基づいて駆動装置が、パチンコ台枠の下辺を押し引き駆動してパチンコ台枠の傾斜を調節するパチンコ遊技機の設置角度自動調節装置が開示されている。しかし、この装置の場合は、パチンコ台枠の重量が集中する下辺部を押し引き駆動する構成であるために、大きな押し引き力が必要となるため、効率がよくないという問題がある。また、駆動装置とパチンコ台枠の下辺とが、単に駆動装置のネジ杆を介して連結されているだけであるので、パチンコ台枠の確固たる固定状態を確保することができないという問題もある。
【先行技術文献】
【特許文献】
【０００６】
【特許文献１】特開２００６−１９２１５９号公報
【特許文献２】特開２００８−２８４２８０号公報
【考案の概要】
【考案が解決しようとする課題】
【０００７】
上述したように、従来提案されているパチンコ遊技機の傾斜角度の自動調節装置の場合は、機構が複雑であるとか、微妙な調節が難しいとか、パチンコ台枠の確固たる保持が難しいとか、設置にスペースが必要とかいった問題があった。そこで本考案は、これらの問題のない、即ち、シンプルな構成で設置にスペースを要せず、遠隔操作によってパチンコ台枠の傾斜角度の微調整が可能であり、また、パチンコ台枠を確固と保持し得るパチンコ遊技機の傾斜度調節システムを提供することを課題とする。
【課題を解決するための手段】
【０００８】
上記課題を解決するための請求項１に係る考案は、島枠に設置されるユニット本体と、先端部が島枠内に収まったパチンコ台枠の上辺に固定され、その固定状態のまま進退して前記パチンコ台枠の上辺を前記島枠内において前後動させる作動部と、前記ユニット本体に配備されていて前記作動部を進退させる駆動部とから成る自動調節ユニットが、前記パチンコ台枠の上辺左右に一対配置され、前記各自動調節ユニットが遠隔操作されて前記パチンコ台枠の傾斜角度を予め設定した角度に調節可能であり、前記遠隔操作が、前記パチンコ遊技機ごとに設置される制御基板を介して行われることを特徴とするパチンコ遊技機の傾斜度調節システムである。
【０００９】
一実施形態においては、前記一対の自動調節ユニットが個別に動作可能にされる。
【００１０】
一実施形態においては、前記自動調節ユニットは、複数のギアで構成されるギア組が組み込まれていて前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記島枠の内天面において摺動可能に支持されるクランプ固定板と、前記クランプ固定板に固定設置されるクランプ装置と、前記クランプ装置の先端に取り付けられていて、前記パチンコ台枠の上辺に係止される係止ヘッドとから成る。
【００１１】
また、他の実施形態においては、前記自動調節ユニットは、複数のギアで構成されるギア組が組み込まれていて、ギアボックス用ベースを介して前記島枠に設置されるギアボックスと、前記ギアボックスに付設されて前記ギア組を回転駆動するステッピングモータと、中間部にネジ部を有していて前記ギア組に噛合することにより軸方向に進退駆動されるネジ杆と、前記ギアボックスから突き出る前記ネジ杆の先端部に取り付けられていて、前記ギアボックス用ベースに設置されたスライドガイドに支持されてスライドするスライド板と、前記スライド板に取り付けられて、先端部が前記パチンコ台枠の上辺に固定される作用部とから成る。
【００１２】
一実施形態においては、前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びる固定板が前記パチンコ台枠の内天面に固定される。その場合前記固定板は、裏面側からねじ込まれるネジの先端面が前記パチンコ台枠の内天面を強圧して負荷を与えることにより、前記パチンコ台枠の内天面に固定状態となるようにされることがある。
【００１３】
一実施形態においては、前記作用部は、前記スライド板の底部に設置されるブラケットを介して取り付けられ、前記ブラケットの先端部に横向きに配設される係止ピンが摺動自在に係合する縦長孔を設けた係止板を有し、前記係止板から前方に伸びるクランプ部材が前記パチンコ台枠の端部を挟持することにより、前記パチンコ台枠に固定される。
【００１４】
一実施形態においては、前記ギアボックス内に、前記ネジ杆の回転角を検出するフォトインタラプタが組み込まれ、前記フォトインタラプタによって検出された前記ネジ杆の回転角データに基づいて前記パチンコ台枠の傾斜度調節が行われる。また、一実施形態においては、前記ネジ杆は、前記ギア組のうちの末端の駆動ギアの軸穴に嵌め込まれた六角ナットにねじ込まれることにより、前記駆動ギアの回転に伴って軸方向に進退駆動される。
【００１５】
一実施形態においては、前記自動調節ユニットは、前記パチンコ台枠の上辺を、予め数段階に設定された距離移動させるように制御され、また、前記自動調節ユニットは、前記パチンコ台枠の上辺を、予め５段階に設定された距離移動させるように制御される。
【考案の効果】
【００１６】
本考案は上記のとおりであって、本考案によれば、自動調節ユニットの遠隔操作が、パチンコ遊技機ごとに設置される制御基板を介して行われるようにしたので、設置が容易で、遠隔操作でパチンコ遊技機ごとに個別管理できるだけでなく、ホール内コンピュータにおいて一括傾斜管理及び傾斜調整を行うことが可能となる効果がある。
【００１７】
また、自動調節ユニットの駆動にステッピングモータが用いられるために、パチンコ台枠の傾斜度の微調節を遠隔操作によって簡単に行うことが可能となり、殊に、パチンコ台枠の上辺を、予め数段階に設定された距離移動させるように制御することで、リモコン操作等により、微妙な傾斜度調節を効率よく画一的に行うことが可能となる効果がある。
【図面の簡単な説明】
【００１８】
【図１】本考案に係るパチンコ遊技機の傾斜度調節システムの使用状態を示す正面図である。
【図２】本考案に係るパチンコ遊技機の傾斜度調節システムのギアボックス付近の構成を示す部分断面図である。
【図３】本考案に係るパチンコ遊技機の傾斜度調節システムのギアボックス内のギア組の構成を示す斜視図である。
【図４】本考案に係るパチンコ遊技機の傾斜度調節システムの駆動ギアとギア杆の構成を示す図である。
【図５】本考案に係るパチンコ遊技機の傾斜度調節システムのスライドガイドの構成を示す図である。
【図６】本考案に係るパチンコ遊技機の傾斜度調節システムのトグルクランプ装置の構成を示す図である。
【図７】本考案に係るパチンコ遊技機の傾斜度調節システムの制御系統の構成を示す概略構成図である。
【図８】高さ８１０ｍｍのパチンコ台枠における、１度の傾斜寸法値と○分○厘の比較表示を示す説明図である。
【図９】本考案に係るパチンコ遊技機の傾斜度調節システムの第２の実施形態の構成を示す部分断面図である。
【図１０】本考案に係るパチンコ遊技機の傾斜度調節システムの第３の実施形態の構成を示す部分断面図である。
【図１１】本考案に係るパチンコ遊技機の傾斜度調節システムの第３の実施形態の変形例を示す部分断面図である。
【図１２】本考案に係るパチンコ遊技機の傾斜度調節システムの第４の実施形態の構成を示す部分断面図である。
【考案を実施するための形態】
【００１９】
本考案を実施するための形態について、添付図面に依拠して説明する。本考案に係るパチンコ遊技機の傾斜度調節システムは、先端部が、島枠５１内に収まったパチンコ台枠４１の上辺に係止され、その係止状態のまま進退してパチンコ台枠４１の上辺を島枠５１内において前後動させるクランプ部５を備えていて島枠５１に固定される自動調節ユニットを、パチンコ台枠４１の上辺左右に一対配置し、各自動調節ユニットを遠隔操作してパチンコ台枠４１の傾斜角度を予め設定した角度に調節可能にしたものであって、自動調節ユニットの遠隔操作を、パチンコ遊技機ごとに設置される制御基板を介して行われるようにしたことを特徴とするものである（図１、７参照）。
【００２０】
先ず、本システムにおける自動調節ユニットの構成について説明する（図１〜図６参照）。図示した例における自動調節ユニットは、島枠５１に設置されるギアボックス１と、ギアボックス１に付設されるステッピングモータ２と、ギアボックス１から進退可能に突出するネジ杆３と、ネジ杆３の先端部に取り付けられていて、島枠５１の天面において摺動可能に支持されるクランプ固定板４と、パチンコ台枠４１の上辺の内天面に食い込むことによってそこに係止される係止ヘッド６を有していて、クランプ固定板４に設置されるトグルクランプ装置５とから成る。ギアボックス１は突片１ａを備えていて、この突片１ａが島枠５１の内天面端部に固定されることにより、島枠５１に設置される。
【００２１】
ギアボックス１内には、複数のギアで構成されるギア組が配備される。図示した例におけるギア組は、ステッピングモータ２の出力軸に直結される入力ギア１３と、ネジ杆３をその軸方向に進退駆動する駆動ギア１７と、入力ギア１３と駆動ギア１７間に配設される３つの中間ギア１４〜１６とで構成されている（図２、３参照）。中間ギア１４〜１６はそれぞれ、大径と小径のギアを一体化した複合ギアである。
【００２２】
第１中間ギア１４と第３中間ギア１６は、ギアボックス１の内壁に突設される共通のギア軸１９において軸支され、第２中間ギア１５は、ギア軸１９と平行にギアボックス１の内壁に突設されるギア軸２０において軸支される。そして、入力ギア１３は第１中間ギア１４に噛合し、第１中間ギア１４は第２中間ギア１５に噛合し、第２中間ギア１５は第３中間ギア１６に噛合し、第３中間ギア１６は駆動ギア１７に噛合していて、入力ギア１３の回転が次第に減速されつつ、駆動ギア１７に伝達されるように、各ギアの歯数が設定される。
【００２３】
ネジ杆３は、中間にネジ部３ａを有する棒材で、その一半部がギアボックス１内に臨み、他半部がギアボックス１から突出するようにしてギアボックス１に配設される。ギアボックス１内に臨むネジ杆３の後端部は、ギアボックス１の側壁に設置された軸受２２によって、回転自在、且つ、軸方向に摺動自在に軸支される。また、ギアボックス１から突き出るネジ杆３の先端部には、トグルクランプ装置５を取り付けるためのクランプ固定板４が取り付けられる。
【００２４】
駆動ギア１７は、その中心にメネジ部を有する。通例、そのメネジ部は、駆動ギア１７の中心部に六角ナット１８を嵌め込み固定することにより形成される（図４参照）。ネジ杆３は、そのネジ部３ａを六角ナット１８にねじ込むことで、駆動ギア１７に噛合される。その結果、ギア組を介して駆動ギア１７が回転駆動されると、ネジ部３ａが六角ナット１８のメネジ部に螺合しているネジ杆３が、その軸方向に前進又は後退駆動されることになる。
【００２５】
クランプ固定板４は、島枠５１の天面に固定されるスライドガイド２１に差し込まれ、摺動可能に支持される。スライドガイド２１は、例えば、断面が展Ｃ字形状の金具であって（図５参照）、クランプ固定板４の両側辺を係止して、スライドガイド２１の水平方向移動を支持する。
【００２６】
クランプ固定板４に設置されるトグルクランプ装置５はトグル機構を利用した固定治具で、本考案においては、４節リンクで構成される一般的な構成のものを用いることができる。図示した例のトグルクランプ装置５は、クランプ固定板４に固定されるベース部材２２と、ベース部材２２に取り付けられるクランプレバー２３と、クランプレバー２３の回動操作に連係して回動する作用アーム２４とから成り、作用アーム２４はその先端に、パチンコ台枠４１の上枠内天面に食い込んで係止される係止ヘッド６を備える（図１、６参照）。
【００２７】
この構成の場合、作用アーム２４は固定節Ａでベース部材２２に連結され、節Ｄでクランプレバー２３に連結される。クランプレバー２３は節Ｄで作用アーム２４と連結されると共に、ベース部材２２の固定節Ｂに取り付けられている連結部材２６に節Ｃで連結される。即ち、節Ａ、Ｂが固定節である４節リンクであって、節Ｂ、Ｃと節Ｃ、Ｄがトグル機構となり、節Ｃからの入力に対して節Ｄが動作することになる。
【００２８】
図１及び図６では、このトグルクランプ装置５のロック時の状態が実線で示され、アンロック時の状態が仮想線で示されている。実線で示されるロック状態においては、節Ｃは節Ｂ、Ｄを結ぶ線より僅かに内側に入ることで、節Ｄを介して係止ヘッド６にパチンコ台枠４１の上枠内天面に対する食い込み力が生じ、その状態が維持される。
【００２９】
そして、クランプレバー２３を引き下ろすと、節Ｃが節Ｂ、Ｄを結ぶ線の外側に出ることで、節Ｄに対する節Ｃからの入力がなくなり、作用アーム２４が反時計回りに回動し、係止ヘッド６がパチンコ台枠４１の上枠内天面から離れる（仮想線参照）。このアンロック状態からクランプレバー２３を押し上げると、上記とは逆に動作して、係止ヘッド６がパチンコ台枠４１の上枠内天面に食い込んでロック状態となり、その状態が維持される。
【００３０】
好ましい実施形態においては、ギアボックス１内に駆動ギア１７の回転角を検出するフォトインタラプタ３１が組み込まれ、フォトインタラプタ３１によって検出された駆動ギア１７の回転角データに基づいてステッピングモータ２が制御されることで、パチンコ台枠４１の傾斜度調節が行われる。フォトインタラプタ３１は、駆動ギア１７にその周縁に沿って形成される小穴１７ａの数を検出することによって、駆動ギア１７の回転角を検出し、その回転角に基づいてネジ杆３の移動量が換算される。
【００３１】
なお、ステッピングモータ２の回転数とパチンコ台枠４１の傾斜度との関係を予めデータ化して保存しておき、そのデータに基づいてステッピングモータ２の回転を制御することにより、パチンコ台枠４１の傾斜度を調節する。このデータは、後述する段階制御において利用される。
【００３２】
図７は、本考案に係る傾斜度調節システムの全体構成を示す概略図である。この構成においては、各パチンコ遊技機の自動調節ユニットが具備するフォトインタラプタ３１からの信号を基に、各ステッピングモータ２の動作を制御するためのＣＰＵ３３を備えた制御基板３２が、適宜個所に配備される（図７に示す例では呼出しランプ３４内に配備されている。）。そして、後述するように、各ステッピングモータ２が所定量回転し、トグルクランプ装置５を進退駆動してパチンコ台枠４１を前後動させることで、その傾斜度の自動調節が可能となる。
【００３３】
本傾斜度調節システムは、基本的にはパチンコ遊技機ごとに管理可能に構成され、例えば、管理者の所持するリモコン３５の操作により動作するが、遊技施設全体を管理するホール内コンピュータ３６において集中管理可能に構成することもでき、その場合は管理室内においてホール内コンピュータ３６を操作することで、各パチンコ遊技機の制御基板３２を介し、本傾斜度調節システムを動作させることができ、各パチンコ遊技機の一括傾斜管理及び傾斜調整を行うことが可能となる。
【００３４】
なお、各パチンコ遊技機の一対の自動調節ユニットは、同期させて同一の調節動作を行うように構成することもできるが、個別に調節動作可能に構成することが好ましい。そのようにした場合は、各自動調節ユニットにおけるトグルクランプ装置５の進退量を変えることで、パチンコ台枠４１のねじれを調整することが可能となる。
【００３５】
上記構成の本考案に係る傾斜度調節システムの自動調節ユニットは、パチンコ台枠４１を島枠５１内に嵌め付ける前に島枠５１に設置される。その場合、先ず、スライドガイド２１を島枠５１の内天面に定置し、次いで、クランプレバー２３を引き下げてアンロック状態（図１、６の仮想線参照）にした自動調節ユニットのクランプ固定板４を、横方向からスライドガイド２１内の奥まで差し込むと共に、ギアボックス１を島枠５１の内天面に固定する（図１、図６（Ａ）の仮想線参照）。そして、その後、パチンコ台枠４１を島枠５１内にほぼ垂直に嵌め入れてその上辺をスライドガイド２１に近接させ、その下辺を島枠５１の内底面に釘止めやネジ止め等の手段によって固定する。
【００３６】
その状態でクランプレバー２３を押し上げると、係止ヘッド６が上方に旋回し、係止ヘッド６がパチンコ台枠４１の上枠内天面に食い込んでロック状態となる。その状態でリモコン３５を操作する等してステッピングモータ２を始動させると、ギア組が回転駆動され、末端の駆動ギア１７に噛合するネジ杆３が図１において右方向に後退動作し、クランプ固定板４に固定されたトグルクランプ装置５は、スライドガイド２１にガイドされて水平方向に後退動作する。その動きに伴い、係止ヘッド６にロックされているパチンコ台枠４１の上枠が引っ張られることで、パチンコ台枠４１の傾斜度が変化する。
【００３７】
図８は、高さ８１０ｍｍのパチンコ台枠４１における、１度の傾斜寸法値と○分○厘の比較表示を示すものであり、そこに示されているように、１度傾斜させた場合の寸法（上端の移動量）は４分７厘（１４．１ｍｍ）となる。かかるデータに基づき、一実施形態においては、３分、３分５厘、４分、４分５厘、４分７厘の５段階制御とされる。    
【００３８】
このような５段階制御を可能にするためには、パチンコ台枠４１の上端部がこのような５段階の距離移動するように制御する必要があるが、その制御のために、パチンコ台枠４１の上端部と一体に移動するトグルクランプ装置５の移動量を決定するステッピングモータ２の回転量を、予め５段階に設定し、リモコン操作等により選択可能にする。このようにすることにより、効率よく画一的に傾斜度調節を行うことが可能となる。そして、更に微調整する場合は、この５段階のいずれかの傾斜からの微量移動により行うことができる。
【００３９】
次いで、図９に示される第２の実施形態について説明する。この第２の実施形態における自動調節ユニットは、複数のギアで構成されるギア組が組み込まれていて島枠５１に設置されるギアボックス１と、ギアボックス１に付設されてギア組を回転駆動するステッピングモータ２と、中間部にネジ部を有していてギア組に噛合することにより軸方向に進退駆動されるネジ杆３を備える点では第１の実施形態の場合と同じであるが、この場合のギアボックス１は、島枠５１にギアボックス用ベース６１を介して設置される点で第１の実施形態と構成を異にしている。
【００４０】
ギアボックス用ベース６１はクランク形状で、その前半部が島枠５１の内天面に取り付けられ、その後半部にギアボックス１から水平に伸びる連結板６２が固定されることで、ギアボックス１が島枠５１に固定状態となる。そして、連結板６２の裏面にスライドガイド６３が設置され、このスライドガイド６３により、ネジ杆３の先端に取り付けられたスライド板６４が摺動可能に支持される。例えば、スライドガイド６３は水平方向に伸びる一対の溝を有するものとし、スライド板６４の上辺にその溝に係合する翼部を設けることとする。
【００４１】
スライド板６４は、その底部に設置されるブラケット６５を介して、先端部がパチンコ台枠４１の内天面に固定される作用部に連結される。作用部は、ブラケット６５に連結される係止板６７と、係止板６７から水平方向に伸びる固定板６９とから成り、係止板６７には縦長孔６８が突設され、そこに、ブラケット６５の先端部に横向きに配設された係止ピン６６が摺動自在に係合する。作用部は、その固定板６９がパチンコ台枠４１の内天面の切除部４２に留め付けられることで、パチンコ台枠４１に固定状態となる。
【００４２】
なお、ギアボックス１内のギア組みの構成は、基本的には第１実施形態の場合と変わらないが、図９に示す例では、フォトインタラプタ３１は、駆動ギア１７自体ではなく、駆動ギア１７に一体の軸筒に設けた連結フランジ７０の回転角を検出するように構成されている。
【００４３】
この第２の実施形態の場合は、ステッピングモータ２が作動することでネジ杆３が進退動作し、それに伴いスライド板６４並びにブラケット６５がスライドガイド６３に支持されて水平方向に進退動作する。このブラケット６５の動きは、その先端部の係止ピン６６を介して係止板６７に伝達され、係止板６７が水平方向に押し引きされるが、係止ピン６６が縦長孔６８に係合している関係で、パチンコ台枠４１は、底辺を軸に円弧状に押し引き可能となり、その傾斜度の調節が可能となる。以上の他の点は、第１実施形態の場合に準じる。
【００４４】
この第２の実施形態の場合は、作用部の固定板６９をビス止め等によりパチンコ台枠４１の内天面に留め付ける構成であるため、パチンコ台枠４１に対する固定状態がより強固となる。また、島枠５１に対してスライドガイド６３を、直接ではなく、ギアボックス用ベース６１を介して設置することとしているので、パチンコ台枠４１上部の厚みにばらつきがあっても（メーカーによって均一ではない）、問題なく対応可能となる。
【００４５】
図１０に示す第３の実施形態は、図９に示す例の変形例で、その場合の固定板６９は、裏面側からねじ込まれる負荷ネジ７１の先端面がパチンコ台枠４１の内天面を強圧して負荷を与えることにより、パチンコ台枠４１の内天面に固定状態となる。また、図１１に示す例は、図１０に示す第３の実施形態の変形例で、パチンコ台枠４１の内天面をより安定的に且つ確実に強圧できるように、係止板６７の上面に補助板７２を定着し、補助板７２をパチンコ台枠４１の天面に当接させて、パチンコ台枠４１の端部を挟持する状態にしたものである。
【００４６】
図１２に示す第４の実施形態は、係止板６７から前方に伸びるクランプ部材７３，７４がパチンコ台枠４１の端部を挟持することにより、パチンコ台枠に固定されるようにしたものである。クランプ部材７３，７４は、両者間に跨る締付ネジ７５を締め上げていくことにより、パチンコ台枠４１の天面に当接するクランプ部材７３がパチンコ台枠４１の内天面に当接するクランプ部材７４に引き寄せられることで、パチンコ台枠４１の端部がクランプ部材７３，７４により強く挟持される。
【００４７】
この場合、必要に応じ、締付ネジ７５の他に、パチンコ台枠４１の端部を貫いて、クランプ部材７３，７４を連結する咥え込みピン７６を配することとする。
【産業上の利用可能性】
【００４８】
本考案に係る傾斜度調節システムは、上記いずれの実施形態においてもシンプルな構成で、場所を取らずに簡単に設置でき、リモコン操作等により、微妙な傾斜度調節を効率よく画一的に行うことが可能となる。また、リモコン操作等でパチンコ遊技機ごとに個別管理できるだけでなく、ホール内コンピュータにおいて一括傾斜管理及び傾斜調整を行うことが可能となるもので、産業上の利用性は大である。
【符号の説明】
【００４９】
１                ギアボックス
１ａ              突片
２                ステッピングモータ
３                ネジ杆
４                クランプ固定板
５                トグルクランプ装置
６                係止ヘッド
１３              入力ギア
１４−１６        中間ギア
１７              駆動ギア
１７ａ            小孔
１８              六角ナット
２１              スライドガイド
２２              ベース板
２３              クランクレバー
２４              作用アーム
２６              連結部材
３１              フォトインタラプタ
３２              制御基板
３３              ＣＰＵ
３４              呼出しランプ
３５              リモコン
４１              パチンコ台枠
５１              島枠
６１              ギアボックス用ベース
６２              連結板
６３              スライドガイド
６４              スライド板
６５              ブラケット
６６              係止ピン
６７              係止板
６８              縦長孔
６９              固定板
７０              連結フランジ
７１              負荷ネジ
７２              補助板
７３，７４        クランプ部材
７５              締付ネジ
７６              咥え込みピン
【図１】
0003234237.tif 000003
【図２】
0003234237.tif 000004
【図３】
0003234237.tif 000005
【図４】
0003234237.tif 000006
【図５】
0003234237.tif 000007
【図６】
0003234237.tif 000008
【図７】
0003234237.tif 000009
【図８】
0003234237.tif 000010
【図９】
0003234237.tif 000011
【図１０】
0003234237.tif 000012
【図１１】
0003234237.tif 000013
【図１２】
0003234237.tif 000014